(57)【要約】      （修正有）【課題】防火服に縫い付けられた反射布によって防火服の通気性が阻害されることがなく、防火服に縫い付けられた反射布と防火服との間に水が溜まって防火服の重量が増加することを防止することができる防火服を提供する。【解決手段】通気性を有する生地を用いて形成され反射布２が縫い付けられた防火服１において、防火服１内部の熱気は通気性を有する生地を介して反射布２に形成された複数のパンチング孔から外部に放出可能とされ、防火服１に縫い付けられた反射布２と防火服１との間に溜まった水はパンチング孔から外部に排出可能とされているので、防火服１に縫い付けられた反射布２によって防火服１の通気性が阻害されることがなく、防火服１に縫い付けられた反射布２と防火服１との間に水が溜まって防火服１の重量が増加することを防止することができる。【選択図】図１
0003171957.tif 000002
【実用新案登録請求の範囲】
【請求項１】
通気性を有する生地を用いて形成され再帰性反射シートが縫い付けられた防火服において、前記再帰性反射シートには複数のパンチング孔が形成されていることを特徴とする防火服。
【考案の詳細な説明】
【技術分野】
【０００１】
本考案は、再帰性反射シートが縫い付けられた防火服に関する。
【背景技術】
【０００２】
防炎製品が普及し鉄筋コンクリート構造の建物が増えたため、火災の発生件数は減少しているが、フラッシュオーバー等による室内火災は増加している。消防隊員は、室内で爆発の危険に晒されながら消火活動を行うため、防火服は頑強に作られており重量が増加している。
防火服の内部には熱気が溜まるので、防火服に通気口を設けて防火服内部の熱気を外部に放出したいが、通気口を設けると、該通気口から防火服の内部に火が侵入することがあり危険である。そのために防火服の生地として通気性を有するものが用いられ、防火服内部の熱気は通気性を有する生地を介して外部に排出されている。
【０００３】
防火服には安全のために再帰性反射シートが縫い付けられている。防火服に縫い付けられる再帰性反射シートの面積は、ＩＳＯ規格に定められた面積を参考にして決められている。防火服の上衣とズボンとにおいて、たとえば７５ｍｍ幅のテープ状のものが５ｍ程度用いられている。
【考案の概要】
【考案が解決しようとする課題】
【０００４】
防火服の生地として通気性を有するものが用いられていても、防火服に縫い付けられる再帰性反射シートが通気性を有していないので、再帰性反射シートが縫い付けられることによって防火服の通気性が阻害される場合がある。
【０００５】
また、防火服の生地として撥水加工されたものが用いられていても、再帰性反射シートを防火服に縫い付けた縫い目から水が入り込んで防火服と再帰性反射シートとの間に溜まることがある。防火服と再帰性反射シートとの間に水が溜まると防火服の重量が増加し、消防隊員の負担を大きくする。
【０００６】
本考案の目的は、このような課題を解決するもので、防火服に縫い付けられた再帰性反射シートによって防火服の通気性が阻害されることがなく、防火服に縫い付けられた再帰性反射シートと防火服との間に水が溜まって防火服の重量が増加することを防止することができる防火服を提供することである。
【課題を解決するための手段】
【０００７】
この課題を解決するために請求項１に記載の考案は、通気性を有する生地を用いて形成され再帰性反射シートが縫い付けられた防火服において、前記再帰性反射シートには複数のパンチング孔が形成されているものである。
【考案の効果】
【０００８】
請求項１記載の考案によれば、防火服内部の熱気は通気性を有する防火服の生地を介して再帰性反射シートに形成された複数のパンチング孔から外部に放出可能とされ、再帰性反射シートを防火服に縫い付ける縫い目から再帰性反射シートと防火服との間に入り込んだ水は複数のパンチング孔から排出可能とされるので、防火服に縫い付けられた再帰性反射シートによって防火服の通気性が阻害されることがなく、防火服に縫い付けられた再帰性反射シートと防火服との間に水が溜まって防火服の重量が増加することを防止することができる。
【図面の簡単な説明】
【０００９】
【図１】本考案の一実施形態に係る防火服を着用した状態の図である。
【図２】再帰性反射シートの平面図である。
【考案を実施するための形態】
【００１０】
以下、本考案の一実施形態について図１および図２に基づいて説明する。図１は本考案の一実施形態に係る防火服１を着用した状態の図である。図２は再帰性反射シート２の平面図である。
【００１１】
防火服１は、たとえば上衣６とズボン７とで構成されており、再帰性反射シート２は、上衣６の中央部に縦方向に細長に縫い付けられ，さらに両肩部，裾部および袖口に縫い付けられる。ズボン６において再帰性反射シート２は、両脚に沿って縦方向に細長に縫い付けられ、さらに裾周りに縫い付けられる。
【００１２】
本実施の形態においては、再帰性反射シート２として、ユニチカスパークライト社製スパークパンチングトリムが用いられる。再帰性反射シート２は７５ｍｍ幅のテープ状に形成されており、中央部には長手方向に沿って反射部３が設けられ、反射部３の両側には蛍光部４が設けられている。再帰性反射シート２は、上衣とズボンとで構成される防火服において５ｍ程度用いられる。再帰性反射シート２の幅は７５ｍｍに限定されるものではなく、たとえば５０ｍｍ幅のものを用いることもできる。
【００１３】
再帰性反射シート２には、直径１．５ｍｍのパンチング孔５がピッチＰ＝７．５ｍｍの間隔をもって複数個所形成されている。パンチング孔５は、再帰性反射シート２を防火服１に縫い付けるための縫い代８を除いて、反射部３と蛍光部４との略全面に均一に形成されている。縫い代８は再帰性反射シート２の長手方向に沿った縁部に形成されている。
【００１４】
防火服１の生地として通気性を有するものが用いられる場合には、防火服１内部の熱気は防火服１の生地を介して外部に放出されている。防火服１に縫い付けられた再帰性反射シート２が通気性を有していない場合であっても、再帰性反射シート２にはパンチング孔５が略全面に均一に形成されており、防火服１の内部に溜まった熱気は、防火服１の生地を介して、再帰性反射シート２のパンチング孔５から外部に放出される。防火服１に再帰性反射シート２が縫い付けられた場合に、再帰性反射シート２が縫い付けられた部分の通気性が阻害されることを防止することができる。
【００１５】
防火服１の生地として撥水加工されたものが用いられている場合には、防火服１の生地に水が浸み込むことは防止されるが、防火服１に付着した水が、再帰性反射シート２を防火服１に縫い付ける縫い目から、防火服１と再帰性反射シート２との間に入り込むことがある。再帰性反射シート２の縫い目から入った水は、とくに、上衣の裾，袖口およびズボンの裾において、再帰性反射シート２と防火服１との間に入り込み易い。再帰性反射シート２にはパンチング孔５が略全面に均一に形成されているので、防火服１と再帰性反射シート２との間に入り込んだ水は、パンチング孔５から外部へ排出可能である。これによって、防火服１と再帰性反射シート２との間に水が溜まって防火服１の重量が増えることが防止される。
【００１６】
本実施の形態では、直径１．５ｍｍのパンチング孔５がピッチＰ＝７．５ｍｍの間隔をもって複数個所形成されているが、これに限定されるものではない。パンチング孔５の直径を大きくし、あるいはピッチＰを小さくしてパンチング孔５の個数を増やすことによって、いっそう容易に防火服１の内部に溜まった熱気を外部に放出し、防火服１と再帰性反射シート２との間に入り込んだ水を外部へ排出することができる。再帰性反射シート２には、反射部３の両側に蛍光部４が設けられているが、蛍光部４が設けられておらず反射部３のみ備えたものでもよい。再帰性反射シート２が縫い付けられる防火服１は上衣とズボンとで構成されているが、上衣はコートタイプのものであっても良い。
【００１７】
このように、通気性を有する生地を用いて形成され再帰性反射シート２が縫い付けられた防火服１において、再帰性反射シート２には複数のパンチング孔５が形成されているので、防火服１に縫い付けられた再帰性反射シート２によって防火服１の通気性が阻害されることがなく、防火服１に縫い付けられた再帰性反射シート２と防火服１との間に水が溜まって防火服１の重量が増加することを防止することができる。
【符号の説明】
【００１８】
１    防火服
２    再帰性反射シート
３    反射部
４    蛍光部
５    パンチング孔
６    上衣
７    ズボン
８    縫い代
【図１】
0003171957.tif 000003
【図２】
0003171957.tif 000004